(57)【要約】【課題】クレーン反力を小さくでき、躯体補強費を削減でき、またクライミングの段取り作業をクレーン揚重作業と切り離し、クレーン停止時間を短縮し、かつ連続して盛替作業が行われるためクライミング時間を短縮することができる。【解決手段】  建物を施工するに際して施工済み躯体に設置され、施工進捗に伴って順次上方へ盛り替えられていくクレーンのフロアクライミングシステム１であり、施工済みの躯体１０に沿って昇降可能なクレーン受架台２０と、クレーン受架台２０の上部に設置されるクレーン本体３０と、クレーン受架台２０を躯体１０に沿って昇降させる昇降装置４０とを備え、クレーン受架台２０は、昇降時に躯体１０との干渉を回避した位置にあり、設置時に作動して躯体に支持されるアウトリガー５０を有する。【選択図】図１
2008063118.tif 000002
【特許請求の範囲】
【請求項１】
建物を施工するに際して施工済み躯体に設置され、施工進捗に伴って順次上方へ盛り替えられていくクレーンのフロアクライミングシステムであり、
施工済みの前記躯体に沿って昇降可能なクレーン受架台と、
前記クレーン受架台の上部に設置されるクレーン本体と、
前記クレーン受架台を前記躯体に沿って昇降させる昇降装置と、
を備え、
前記クレーン受架台は、昇降時に前記躯体との干渉を回避した位置にあり、設置時に作動して前記躯体に支持されるアウトリガーを有する
ことを特徴とするクレーンのフロアクライミングシステム。
【請求項２】
前記クレーン受架台は、
施工済みの躯体の複数本の柱の内側に位置するように配置され複数階層分の高さを有する複数の縦フレームと、
前記複数の縦フレームの上下に所定間隔で連結して配置された継ぎ材と、
前記複数の縦フレームに連結されて交差して形成されたブレス材と、
前記複数の縦フレームの下部に設けられる前記アウトリガーと、
前記複数の縦フレームの上部に設けられる前記クレーン本体を取り付けるための取付部材とを有するタワー型構造である
ことを特徴とする請求項1に記載のクレーンのフロアクライミングシステム。
【請求項３】
前記昇降装置は、
前記クレーン受架台の水平方向の移動を規制し、かつ昇降のガイドを行う前記躯体に設けられたガイド手段と、
前記クレーン受架台を昇降させる巻上装置と、
を有する
ことを特徴とする請求項1または請求項２に記載のクレーンのフロアクライミングシステム。
【請求項４】
前記アウトリガーは、
水平面内において作動可能とされた構造であり、
昇降時は前記躯体との干渉を回避することができ、
設置時は作動させた状態で前記躯体により支持可能とされる
ことを特徴とする請求項１乃至請求項3のいずれか１項に記載のクレーンのフロアクライミングシステム。
【請求項５】
建物を施工するに際して、クレーン受架台を施工済みの躯体に設置し、さらに前記クレーン受架台の上部にクレーン本体を設置し、昇降装置により前記クレーン受架台を施工済みの躯体に沿って上昇させ、施工進捗に伴い順次上方へ盛り替えていくためのクレーンのフロアクライミング方法であり、
前記クレーン受架台は、設置時にアウトリガーを作動して前記躯体に支持され、
クライミングに際しては、前記アウトリガーを前記躯体との干渉を回避して位置させ、
前記昇降装置によって前記クレーン受架台を上昇させる
ことを特徴とするクレーンのフロアクライミング方法。
【発明の詳細な説明】
【技術分野】
【０００１】
この発明は、鉄筋コンクリート造、鉄骨鉄筋コンクリート造、鉄骨造などの高層建物を施工する際に採用して、工期の短縮・躯体に作用するクレーン設置負荷の低減を目的とした、クレーンのフロアクライミングシステム及びクレーンのフロアクライミング方法に関するものである。
【背景技術】
【０００２】
周知のように、高層建物の施工に際して採用されるクライミングクレーンには、いわゆるマストクライミング式のものがある。このマストクライミング式のものは、建物の全高に及ぶような長大なマストに代えて所定長のマストを施工済みの躯体の頂部に立設し、その全体を施工進捗に伴って順次上方に盛り替えていく形式のものである（特許文献１）。
【０００３】
この種のクライミングクレーンには、クレーン本体にジャッキ等のクライミング装置が設置されていて、そのクライミング装置を操作してマストとクレーン本体とを交互に上昇させることによりそれ自身でクライミングが可能なものとしておくことが一般的である。この一例として図１３はフロアクライミング式のクライミングクレーンにおけるクライミング工程を示すもので、図１３（ａ）に示すようにマスト１０５の下端部を、クライミング架台１０６を介して施工済みの躯体に支持した状態で所定階までの躯体の施工を行った後、クレーン本体１０３を一時的に支持するためクライミング前に受梁１０７を最上階に設置し、クライミング装置１０８を操作して図１３（ｂ）に示すようにクレーン本体１０３をマスト１０５に対して降下させて受梁１０７上に仮支持する。
【０００４】
そして、その状態でクライミング架台１０６を内側に縮退させ、クライミング装置１０８を操作して受梁１０７から反力をとって図１３（ｃ）に示すようにマスト１０５をクレーン本体１０３に対して上昇させ、図１３（ｄ）に示すようにマスト１０５の下端部を、クライミング架台１０６を介して所定階の躯体に固定した後に、クライミング装置１０８によりクレーン本体１０３をマスト１０５に対して上昇させ、クライミング後に受梁１０７を撤去するようにしている。
【０００５】
このクライミング架台１０６は、図1４に示すように、支持アーム106ａを一方方向に対して伸縮できる構造である場合がほとんどであり、支持アーム106ａを伸ばして躯体の梁２００に取り付けて支持している。
【特許文献１】特開２００４−５９３２１号公報
【発明の開示】
【発明が解決しようとする課題】
【０００６】
ところで、従来のフロアクライミング式のクライミングクレーンは、マスト１０５の下端部がクライミング架台１０６に設けられ、このクライミング架台１０６は、支持アーム106ａを伸ばして躯体の梁２００に取り付けて支持しているが、クライミング架台１０６のスパンＬ１０が狭いために躯体の梁２００に対して強度の弱い部分に荷重をかけなくてはならず、おのずと躯体の補強が必要になっていた。
【０００７】
また、従来のクライミングクレーンは、クレーン本体１０３にクライミング装置１０８が設置され、このクライミング装置１０８はマスト１０５に対して相対的に移動可能であり、クライミングするためにはクライミング装置１０８によりクレーン本体１０３を下降させ、そしてマスト１０５を上昇させてクライミング架台１０６を設置してクレーン本体１０３を上昇させる作業となり、クライミングの段取り作業をクレーン揚重作業と切り離すことができず、クライミングに時間を要していた。
【０００８】
また、従来のクライミングクレーンは、クライミングの高さ（クライミングのストローク）が必要な場合は、マスト１０５を高くしてクライミングクレーンの自立の高さを高くする必要があったが、クライミングクレーンの自立の高さを高くするとクレーン反力が大きくなるために、特に地震時や暴風時には躯体に大きな力がかかってしまうなどの問題がある。
【０００９】
この発明は、かかる点に鑑みてなされたもので、クレーン反力を小さくでき、躯体補強費を削減でき、またクライミングの段取り作業をクレーン揚重作業と切り離し、クレーン停止時間を短縮し、かつ連続して盛替作業が行われるためクライミング時間を短縮することができるクレーンのフロアクライミングシステム及びクレーンのフロアクライミング方法を提供することを目的としている。
【課題を解決するための手段】
【００１０】
前記課題を解決し、かつ目的を達成するために、この発明は、以下のように構成されている。
【００１１】
請求項１に記載の発明は、建物を施工するに際して施工済み躯体に設置され、施工進捗に伴って順次上方へ盛り替えられていくクレーンのフロアクライミングシステムであり、
施工済みの前記躯体に沿って昇降可能なクレーン受架台と、
前記クレーン受架台の上部に設置されるクレーン本体と、
前記クレーン受架台を前記躯体に沿って昇降させる昇降装置と、
を備え、
前記クレーン受架台は、昇降時に前記躯体との干渉を回避した位置にあり、設置時に作動して前記躯体に支持されるアウトリガーを有する
特徴とするクレーンのフロアクライミングシステムである。
【００１２】
請求項２に記載の発明は、前記クレーン受架台は、
施工済みの躯体の複数本の柱の内側に位置するように配置され複数階層分の高さを有する複数の縦フレームと、
前記複数の縦フレームの上下に所定間隔で連結して配置された継ぎ材と、
前記複数の縦フレームに連結されて交差して形成されたブレス材と、
前記複数の縦フレームの下部に設けられる前記アウトリガーと、
前記複数の縦フレームの上部に設けられる前記クレーン本体を取り付けるための取付部材とを有するタワー型構造である
ことを特徴とする請求項1に記載のクレーンのフロアクライミングシステムである。
【００１３】
請求項３に記載の発明は、前記昇降装置は、
前記クレーン受架台の水平方向の移動を規制し、かつ昇降のガイドを行う前記躯体に設けられたガイド手段と、
前記クレーン受架台を昇降させる巻上装置と、
を有する
ことを特徴とする請求項1または請求項２に記載のクレーンのフロアクライミングシステム。
【００１４】
請求項４に記載の発明は、前記アウトリガーは、
水平面内において作動可能とされた構造であり、
昇降時は前記躯体との干渉を回避することができ、
設置時は作動させた状態で前記躯体により支持可能とされる
ことを特徴とする請求項１乃至請求項3のいずれか１項に記載のクレーンのフロアクライミングシステム。
【００１５】
請求項５に記載の発明は、建物を施工するに際して、クレーン受架台を施工済みの躯体に設置し、さらに前記クレーン受架台の上部にクレーン本体を設置し、昇降装置により前記クレーン受架台を施工済みの躯体に沿って上昇させ、施工進捗に伴い順次上方へ盛り替えていくためのクレーンのフロアクライミング方法であり、
前記クレーン受架台は、設置時にアウトリガーを作動して前記躯体に支持され、
クライミングに際しては、前記アウトリガーを前記躯体との干渉を回避して位置させ、
前記昇降装置によって前記クレーン受架台を上昇させる
ことを特徴とするクレーンのフロアクライミング方法である。
【発明の効果】
【００１６】
前記構成により、この発明は、以下のような効果を有する。
【００１７】
請求項１及び請求項５に記載の発明では、建物を施工するに際して、クレーン本体が上部に設置されたクレーン受架台を用い、このクレーン受架台の設置時にアウトリガーを作動して躯体に支持され、クライミングに際しては、クレーン受架台のアウトリガーを躯体との干渉を回避して位置させて昇降装置によってクレーン受架台を上昇させ、昇降装置をクレーン本体及びクレーン受架台と別に設けることで、クライミングさせるための昇降装置の設置等の段取り作業をクレーン揚重作業と切り離すことができ、クレーン停止時間を短縮することできる。また、昇降装置により連続して盛替作業が行われるためクライミング時間を短縮することができる。
【００１８】
請求項２に記載の発明では、クレーン受架台が躯体の開口寸法に合わせて設計できるためにクレーン受架台の荷重支持部を躯体の柱や柱付近の梁に設けることができる。このため躯体にかかるクレーン反力を強度の高い躯体の柱や柱付近の梁に支持することができ、躯体補強費が削減可能である。また、クレーン受架台は、主要部材である縦フレーム、継ぎ材、ブレス材が転用可能であるため、継ぎ材、ブレス材の長さや部材を変えたものに取り替えるだけで多様なスパンの建物に設置可能である。また、クレーン受架台をタワー型構造にし、このクレーン受架台の上部にクレーン本体を取付可能にしたから、クレーンの自立高さを低くでき、そのためクレーン反力（地震時、暴風時）を小さくできる。
【００１９】
請求項３に記載の発明では、簡単な構造で、かつ確実にクレーン受架台の水平方向の移動を規制し、かつ昇降のガイドを行い、クレーン受架台をクライミングさせることができる。
【００２０】
請求項４に記載の発明では、アウトリガーが水平面内において作動可能とされた簡単な構造であり、昇降時は躯体との干渉を回避して昇降可能とされ、設置時は作動させた状態で躯体により支持することができる。
【発明を実施するための最良の形態】
【００２１】
以下、この発明のクレーンのフロアクライミングシステム及びクレーンのフロアクライミング方法の実施の形態について説明するが、この発明の実施の形態は、発明の最も好ましい形態を示すものであり、この発明はこれに限定されない。
【００２２】
図1乃至図１０はこの発明の実施形態であるクレーンのフロアクライミングシステムの概略構成を示すものであり、図１はクレーンのフロアクライミングシステムの正面図、図２はクレーンのフロアクライミングシステムの側面図、図３はクレーン受架台の平面図、図４はクレーン受架台の中間部の平面図、図５は躯体の荷重支持部の斜視図、図６はクレーン受架台の下端部の斜視図、図７は躯体の巻上装置取付部の斜視図、図８は躯体のガイド手段取付部の平面図、図９は巻上装置の正面図、図１０は巻上装置の側面図である。
【００２３】
この実施の形態のクレーンのフロアクライミングシステム１は、例えば高層の建物を施工するに際して施工済み躯体１０に設置され、施工進捗に伴って順次上方へ盛り替えられていくフロアクライミング式である。施工済みの躯体１０は、所定間隔で柱1１が施工され、この柱1１の間に階層分に応じて梁1２が施工される。クレーンのフロアクライミングシステム１が昇降可能に配置される4本の柱1１には、施工進捗に伴って順次クレーンのフロアクライミングシステム１を盛り替える間隔毎に荷重支持ブラケット13がボルトとナットの締付部材14によって同じ高さ位置に固定され、さらにクレーンのフロアクライミングシステム１を盛り替える間隔毎に電動チェーンブロック取付用ブラケット1５がボルトとナットの締付部材1６によって同じ高さ位置に固定される。
【００２４】
クレーンのフロアクライミングシステム１は、施工済みの躯体１０に沿って昇降可能なタワー型のクレーン受架台２０と、クレーン受架台２０の上部に設置されるクレーン本体３０と、クレーン受架台２０を躯体１０に沿って昇降させる昇降装置４０とを備えている。クレーン本体３０は、旋回体３０ａにジブ３０ｂを起伏自在に取り付けた構成であり、クレーン受架台２０の上部で旋回してクレーン揚重作業を行う。
【００２５】
タワー型のクレーン受架台２０は、図1乃至図４に示すように、複数階層分の高さを有する4本の縦フレーム２１が4本の柱1１の内側に位置するように配置され、この4本の縦フレーム２１は、それぞれ上下に所定間隔で配置された継ぎ材２７ａ，２７ｂによって連結され、さらに交差して形成されたブレス材２９ａ〜２９ｃが配設されている。また、4本の縦フレーム２１には、図４に示すように、水平方向に交差して形成されたブレス材２９ｊ，２９ｋが上下に所定間隔で配設されている。
【００２６】
4本の縦フレーム２１の下部は、上下の継ぎ材２２，２３によって連結され、上下の継ぎ材２２，２３の間には交差して形成されたブレス材２９ｄが配設されている。
【００２７】
4本の縦フレーム２１の上部は、対向する２本の縦フレーム２１の上端部に連結フレーム２４，２４を固定し、対向する連結フレーム２４，２４同士の中央部は支持フレーム２５，２５によって連結され、さらに対向する支持フレーム２５，２５同士に取付フレーム２６，２６を設けてクレーン本体３０の旋回体３０ａを取り付けるようになっている。4本の縦フレーム２１の上部にクレーン本体３０の旋回体３０ａを取り付ける構造は、フレームなどの取付部材の組み付けによることなく、プレートなどの取付部材によってもよい。
【００２８】
この実施例では、縦フレーム２１に角パイプ材を用いているが、Ｈ形鋼や丸パイプ材や棒材などでもよい。また、継ぎ材２２，２３、継ぎ材２７ａ，２７ｂやブレス材２９ａ〜２９ｄを用いるが、その数や大きさなどもクレーン受架台２０の設計強度に応じて適宜選択される。また、クレーン受架台２０は、4本の柱1１と、この柱1１の間に施工された4本の梁1２で囲まれる空間９０内に配置され、5階層分の高さに位置する大きさに組み立てられているが、空間９０内に配置され、複数階層分の高さに位置する大きさであれば特に限定されない。
【００２９】
4本の縦フレーム２１の下部には、それぞれアウトリガー５０が支持軸５１を支点に回転可能に設けられている。このアウトリガー５０は、昇降時には図３及び図４において二点鎖線で示すように躯体１０の梁１２との干渉を回避した位置にあり、設置時には矢印方向に作動して荷重支持ブラケット１３の上に位置させ、図３乃至図５に示すように、アウトリガー押え金物５２を上方からあてがい、ボルト５３ａとナット５３ｂの締付部材５３によって荷重支持ブラケット13に締め付け固定して躯体１０に支持される。
【００３０】
この実施の形態のアウトリガー５０は、支持軸５１を支点に回転可能に設けられているが、縦フレーム２１の下部から内外に伸縮可能でもよく、水平面内において作動可能とされた構造であり、昇降時は躯体１０との干渉を回避して昇降可能とされ、設置時は作動させた状態で躯体１０により支持可能とされる構成であればよい。このように、アウトリガー５０が水平面内において作動可能とされた簡単な構造であり、昇降時は躯体１０との干渉を回避して昇降可能とされ、設置時は作動させた状態で躯体１０により支持することができる。また、アウトリガー５０には、Ｈ形鋼を用いているが、角パイプ、丸パイプや棒材などでもよく、アウトリガー押え金物52も角パイプを用いているが、鋼板などでもよい。
【００３１】
昇降装置４０は、ガイド手段４１と、巻上装置４２とを有する。ガイド手段４１は、図８に示すように、ガイドローラ41ａを有するアーム４１ｂと、ガイドローラ41ｃを有するアーム４１ｄとから構成され、アーム４１ｂ及びアーム４１ｄは電動チェーンブロック取付用ブラケット1５の上部に固定されている。ガイドローラ41ａは、縦フレーム２１の一辺部21ａに接触可能であり、ガイドローラ41ｃは、縦フレーム２１の直交する一辺部21ｂに接触可能であり、クレーン受架台２０の水平方向の移動を規制し、かつ昇降のガイドを行う。
【００３２】
巻上装置４２は、図９及び図１０に示すように、モータ４２ｆの駆動によってチェーン４２ｃを巻き上げる電動チェーンブロックを用いているが、これに限定されないで種々の巻上装置・センターホールジャッキ等を用いることができる。この巻上装置４２の上部には、吊フック４２ａが設けられ、この吊フック４２ａを図7に示すように、アーム４１ｂに固定された吊ピース４２ｂに掛けて取り付けられ、チェーン４２ｃは下方に伸ばしてその先端部に設けられた支持フック４２ｄを、図６に示すように、縦フレーム２１の下端部に固定された吊ピース４２ｅに掛け、クレーン受架台２０を巻き上げる構成である。
【００３３】
このように設けられた巻上装置42を駆動すると、チェーン４２ｃが巻き上げられ、ガイドローラ41ａとガイドローラ41ｃによって簡単な構造で、かつ確実にクレーン受架台２０の水平方向の移動を規制し、かつ上昇のガイドを行い、クレーン受架台２０を上昇させることができる。
【００３４】
次に、図１１に基づいてクレーンのフロアクライミング方法を説明する。図１１（ａ）に示すように、クレーン受架台２０の下端部を、アウトリガー５０を介して施工済みの躯体１０（図示例のようにたとえばＮ＋３階の位置）に対して支持した状態で、所定階（Ｎ＋８階）までの躯体１０の施工を行った後、巻上装置４２を駆動して図１１（ｂ）に示すように、クレーン受架台２０を引き上げて上昇させ、アウトリガー５０を回転させて荷重支持ブラケット１３に締め付け固定して躯体１０に支持される。このようにして、クレーン受架台２０を所定階（たとえばＮ＋６階）に対して固定することで、クレーン受架台２０に設置されているクレーン本体３０を上昇させる。
【００３５】
図１２は他の実施の形態のクレーンのフロアクライミングシステムの正面図である。この実施の形態のクレーンのフロアクライミングシステム1は、クレーン本体３０に既存のクライミング装置８０を備えるものに適用したものであり、既存のクライミング装置８０を取り外すことなくクレーン受架台２０に設置される。このように、既存のほとんど全てのクレーン本体に使用可能であり、しかもクレーン受架台２０をタワー構造にしたためクレーン自立高さを最低自立高さで設置でき、そのためクレーン反力（地震時・暴風時）を小さくできる。
【００３６】
このように、この実施の形態では、建物を施工するに際して、クレーン受架台２０を施工済みの躯体１０に設置し、さらにクレーン受架台２０の上部にクレーン本体３０を設置する。このクレーン受架台２０は、設置時にアウトリガー５０を作動して躯体１０に支持され、クライミングに際しては、クレーン受架台２０のアウトリガー５０を躯体１０との干渉を回避して位置させ、昇降装置４０によりクレーン受架台２０を施工済みの躯体１０に沿って上昇させ、施工済みの躯体１０に設置して施工進捗に伴い順次上方へ盛り替えていく。
【００３７】
したがって、クレーン受架台２０が躯体１０の柱11によって形成される空間９０である開口寸法に合わせて設計できるために躯体１０にかかるクレーン反力を強度の高い躯体１０の柱１１や柱付近の梁１２に支持することができる。このように、クレーン受架台２０の荷重支持部を躯体１０の柱１１や柱付近の梁１２に設けることで、躯体補強費が削減可能である。また、クライミングに際しては、昇降装置４０を小型ウィンチ等を用いて先行して設置することで、クレーン受架台２０をクライミングさせるための段取り作業をクレーン揚重作業と切り離すことができ、クレーン停止時間を短縮することできる。また、昇降装置４０により連続して盛替作業が行われるためクライミング時間を短縮することができる。
【００３８】
また、クレーン受架台２０は、主要部材である縦フレーム２１、継ぎ材２２，２３、継ぎ材２７ａ，２７ｂ、ブレス材２９ａ〜２９ｄ、ブレス材２９ｊ，２９ｋを転用可能にしたため、継ぎ材、ブレス材の長さを代えるだけで多様なスパンの建物に設置可能なタワー型構造である。このように、クレーン受架台２０を多様なスパンの建物に設置可能なタワー型構造としたことで、クレーン受架台２０の荷重支持部を躯体柱付近に設けることができ、躯体補強費が削減可能になる。また、クレーン受架台２０をタワー型構造にし、このクレーン受架台２０の上部にクレーン本体３０を固定して設けたから、クレーンの自立高さを低くできる。そのためクレーン反力（地震時、暴風時）を小さくできる。
【産業上の利用可能性】
【００３９】
この発明は、特に鉄筋コンクリート造、鉄骨鉄筋コンクリート造、鉄骨造などの高層建物を施工する際に採用して好適なクレーンのフロアクライミングシステム及びクレーンのフロアクライミング方法に適用でき、クレーン反力を小さくでき、躯体補強費を削減でき、またクライミングの段取り作業をクレーン揚重作業と切り離し、クレーン停止時間を短縮し、かつ連続して盛替作業が行われるためクライミング時間を短縮することができる。
【図面の簡単な説明】
【００４０】
【図１】クレーンのフロアクライミングシステムの正面図である。
【図２】クレーンのフロアクライミングシステムの側面図である。
【図３】クレーン受架台の平面図である。
【図４】クレーン受架台の中間部の平面図である。
【図５】躯体の荷重支持部の斜視図である。
【図６】クレーン受架台の下端部の斜視図である。
【図７】躯体の巻上装置取付部の斜視図である。
【図８】躯体のガイド手段取付部の平面図である。
【図９】巻上装置の正面図である。
【図１０】巻上装置の側面図である。
【図１１】クレーン及びクレーン受架台のクライミングを説明する。
【図１２】他の実施の形態のクレーンのフロアクライミングシステムの正面図である。
【図１３】従来のフロアクライミング式のクライミングクレーンにおけるクライミング工程を示す図である。
【図１４】従来のクライミング架台の平面図である。
【符号の説明】
【００４１】
１  クレーンのフロアクライミングシステム
１０  躯体
１１  柱
１２  梁
１３  荷重支持ブラケット
１４  締付部材
１５  電動チェーンブロック取付用ブラケット
１６  締付部材
２０  クレーン受架台
２１  縦フレーム
２２，２３  継ぎ材
２４，２４  連結フレーム
２５，２５  支持フレーム
２６，２6  取付フレーム
２７ａ，２７ｂ  継ぎ材
２９ａ〜２９ｃ，２９ｊ、２９ｋ  ブレス材
２９ｄ  ブレス材
３０  クレーン本体
４０  昇降装置
４１  ガイド手段
４１ａ  ガイドローラ
４１ｃ  ガイドローラ
４２  巻上装置
４２ｃ  チェーン
５０  アウトリガー
５１  支持軸
５２  アウトリガー押え金物
５３  締付部材
【図１】
2008063118.tif 000003
【図２】
2008063118.tif 000004
【図３】
2008063118.tif 000005
【図４】
2008063118.tif 000006
【図５】
2008063118.tif 000007
【図６】
2008063118.tif 000008
【図７】
2008063118.tif 000009
【図８】
2008063118.tif 000010
【図９】
2008063118.tif 000011
【図１０】
2008063118.tif 000012
【図１１】
2008063118.tif 000013
【図１２】
2008063118.tif 000014
【図１３】
2008063118.tif 000015
【図１４】
2008063118.tif 000016